(57)【要約】      （修正有）【課題】浴槽内の湯水の排水時間を短縮することができるとともに、大掛かりな工事を必要とせず、浴室の天井高さなどを十分に取れる浴室ユニットを提供する。【解決手段】浴室床が、洗い場床２と、洗い場床２から段落ち状に設けられた浴槽下床３を有し、浴槽下床３に浴槽４が載置されるとともに、洗い場の排水および浴槽４の排水が流入する排水トラップ６を備え、浴槽４が、その貯水の全部または一部を浴槽下床３上に直接排水する浴槽排水口４１を有し、排水トラップ６が、浴槽排水口４１から浴槽下床３上に直接排水された排水の流入口を有するとともに、浴槽下床３の上に、浴槽排水口４１から浴槽下床３上に直接排水された排水が洗い場床２側に溢れ出ないように貯水可能な貯水空間を備え、浴槽４の平面投影面積が、浴槽下床３の平面投影面積より小さく、かつ、浴槽４が、水平方向にスライド可能に浴槽下床３上に支持されている構成とした。【選択図】図２
2017057674.tif 000002
【特許請求の範囲】
【請求項１】
浴室床が、洗い場床と、洗い場床から段落ち状に設けられた浴槽下床を有し、前記浴槽下床に浴槽が載置されるとともに、洗い場の排水及び前記浴槽の排水が流入する排水トラップを備える浴室ユニットにおいて、
前記浴槽が、その貯水の全部または一部を浴槽下床上に直接排水する浴槽排水口を有し、
前記排水トラップが、前記浴槽排水口から浴槽下床上に直接排水された排水の流入口を有し、
前記浴槽下床の上に、前記浴槽排水口から浴槽下床上に直接排水された排水が洗い場床側に溢れ出ないように貯水可能な貯水空間を備えているとともに、
前記浴槽の平面投影面積が、前記浴槽下床の平面投影面積より小さく、かつ、前記浴槽が、水平方向にスライド可能に前記浴槽下床上に支持されていることを特徴とする浴室ユニット。
【請求項２】
浴室床が、洗い場床と、洗い場床から段落ち状に設けられた浴槽下床を有し、前記浴槽下床に浴槽が載置されるとともに、洗い場の排水及び前記浴槽の排水が流入する排水トラップを備える浴室ユニットにおいて、
前記浴槽が、その貯水の全部または一部を浴槽下床上に直接排水する浴槽排水口を有し、
前記排水トラップが、前記浴槽排水口から浴槽下床上に直接排水された排水の流入口を有し、
前記浴槽下床の上に、前記浴槽排水口から浴槽下床上に直接排水された排水が洗い場床側に溢れ出ないように貯水可能な貯水空間を備えているとともに、
前記排水トラップは、封水筒の周囲に形成された封水貯水部の側壁に排水経路に接続される排水管部を備え、
この排水管部は、前記封水貯水部の側壁から離れるに伴い上昇する傾斜部を有し、
前記排水経路は、前記排水管部の傾斜部下流側の接続端から下り勾配になるように設けられていることを特徴とする浴室ユニット。
【請求項３】
排水経路は、浴室ユニットの端を臨む位置での高さ位置が、排水トラップの底の位置と同じか少し高い位置になる下り勾配をしている請求項２に記載の浴室ユニット。
【請求項４】
洗い場床を構成する床パンが、パン裏面側に補強リブまたは補強材を有し、排水経路に沿う部分の補強リブまたは補強材が、他の部分より高さが低く、前記排水経路を干渉しない高さに形成されている請求項２または請求項３に記載の浴室ユニット。
【請求項５】
浴槽の底面と、洗い場床の高さの差が１０ｍｍ以内である請求項１〜請求項４のいずれかに記載の浴室ユニット。
【発明の詳細な説明】
【技術分野】
【０００１】
本発明は、１日に複数人が毎回お湯を入れ替えて入浴する高齢者施設などの浴室に好適な浴室ユニットに関するものである。
【背景技術】
【０００２】
浴室ユニットには、洗い場床と浴槽下床が別体または一体成形されるとともに、洗い場床と浴槽下床を兼用の排水口が１つ設けられたもの、または洗い場床と浴槽下床のそれぞれに１つずつの排水口が設けられたものがある（例えば、特許文献１参照）。
そして、上記のような浴室ユニットにおいては、浴槽に貯水された湯水の排水は、浴槽排水口からホースや配管を介して浴槽排水口の直下の床排水口に直接流入させて排水する、あるいは、浴槽排水口に繋げられた排水ホースを床トラップに挿入するなどして、浴槽排水の際に浴槽下床に排水が流れ込んで汚れないようにしている。
【０００３】
このため、トラップ排水流量＝浴槽排水流量であり、トラップの能力が浴槽排水時間を決めている。
一方、介護施設や高齢者施設などでは、一つの浴槽を複数の人が利用するため、一日に何度も浴槽の湯水を入れ替えなければならないことが多い。
【０００４】
したがって、素早く、湯水を入れ替えて、短時間で複数の人の入浴介護を終えるには、お湯張り速度を速くする、または、浴槽からの排水速度を上げることが重要になる。
【先行技術文献】
【特許文献】
【０００５】
【特許文献１】特開2013-221259号公報
【発明の概要】
【発明が解決しようとする課題】
【０００６】
しかし、お湯張り速度を速めるには、給湯器を大型化するとともに、給水給湯配管径を大きくして配管をし直すだけでなく、建物自体の改装も必要になる場合がある。
したがって、お湯張り速度を速める方法には、コストや工期がかかりすぎるという問題がある。
【０００７】
一方、従来の浴室ユニットの排水構造においては、排水トラップを大型化して、排水速度を上げることが考えられるが、排水トラップを大型化すると、床下スペースを大きくとらなければならない。
しかし、浴室改装の場合、床下スペースが限られ、大きな排水トラップを付け用とすると、浴室の天井高が低くなるなどの問題がある。
【０００８】
本発明は、このような問題点に鑑みて、浴槽内の湯水の排水時間を短縮することができるとともに、大掛かりな工事を必要とせず、浴室の天井高さなどを十分に取れる浴室ユニットを提供することを目的としている。
【課題を解決するための手段】
【０００９】
上記目的を達成するために、本発明にかかる浴室ユニット（以下、「本発明の浴室ユニット」と記す）は、浴室床が、洗い場床と、洗い場床から段落ち状に設けられた浴槽下床を有し、前記浴槽下床に浴槽が載置されるとともに、洗い場の排水及び前記浴槽の排水が流入する排水トラップを備える浴室ユニットにおいて、前記浴槽が、その貯水の全部または一部を浴槽下床上に直接排水する浴槽排水口を有し、前記排水トラップが、前記浴槽排水口から浴槽下床上に直接排水された排水の流入口を有し、前記浴槽下床の上に、前記浴槽排水口から浴槽下床上に直接排水された排水が洗い場床側に溢れ出ないように貯水可能な貯水空間を備えているとともに、前記浴槽の平面投影面積が、前記浴槽下床の平面投影面積より小さく、かつ、前記浴槽が、水平方向にスライド可能に前記浴槽下床上に支持されていることを特徴としている。
【００１０】
また、本発明の浴室ユニットは、浴室床が、洗い場床と、洗い場床から段落ち状に設けられた浴槽下床を有し、前記浴槽下床に浴槽が載置されるとともに、洗い場の排水及び前記浴槽の排水が流入する排水トラップを備える浴室ユニットにおいて、前記浴槽が、その貯水の全部または一部を浴槽下床上に直接排水する浴槽排水口を有し、前記排水トラップが、前記浴槽排水口から浴槽下床上に直接排水された排水の流入口を有し、前記浴槽下床の上に、前記浴槽排水口から浴槽下床上に直接排水された排水が洗い場床側に溢れ出ないように貯水可能な貯水空間を備えているとともに、前記排水トラップは、封水筒の周囲に形成された封水貯水部の側壁に排水経路に接続される排水管部を備え、この排水管部は、前記封水貯水部の側壁から離れるに伴い上昇する傾斜部を有し、前記排水経路は、前記排水管部の傾斜部下流側の接続端から下り勾配になるように設けられていることを特徴としている。
【００１１】
また、上記排水経路は、浴室ユニットの端を臨む位置での高さ位置が、排水トラップの底の位置と同じか少し高い位置になる下り勾配をしていることが好ましい。
すなわち、排水トラップの高さ寸法に近い高さの床下空間にすることができる。
【００１２】
本発明の浴室ユニットは、特に限定されないが、上記のような排水経路の構造とする場合、洗い場床を構成する床パンを、パン裏面側に補強リブまたは補強材を有し、前記排水経路に沿う部分の補強リブまたは補強材が、他の部分より高さが低く、前記排水経路に干渉しない高さに形成されたものとすることが好ましい。
すなわち、排水経路に沿う部分以外は、補強リブまたは補強材を厚みのあるものとすることができ、洗い場床を十分な強度を備えたものとすることができる。
【００１３】
本発明の浴室ユニットは、特に限定されないが、浴槽の底面と、洗い場床の高さの差が１０ｍｍ以内とすることが好ましい。
すなわち、浴槽の底面と洗い場床の高さがほぼ同じになるため、浴槽の框部分を跨ぎ込んで入浴する際に、バランスを崩しにくく、高齢者や障害者が安全に入浴できる。
【発明の効果】
【００１４】
本発明の浴室ユニットは、浴室床が、洗い場床と、洗い場床から段落ち状に設けられた浴槽下床を有し、前記浴槽下床に浴槽が載置されるとともに、洗い場の排水及び前記浴槽の排水が流入する排水トラップを備える浴室ユニットにおいて、前記浴槽が、その貯水の全部または一部を浴槽下床上に直接排水する浴槽排水口を有し、前記排水トラップが、前記浴槽排水口から浴槽下床上に直接排水された排水の流入口を有し、前記浴槽下床の上に、前記浴槽排水口から浴槽下床上に直接排水された排水が洗い場床側に溢れ出ないように貯水可能な貯水空間を備えているとともに、前記浴槽の平面投影面積が、前記浴槽下床の平面投影面積より小さく、かつ、前記浴槽が、水平方向にスライド可能に前記浴槽下床上に支持されている。
すなわち、貯水空間を備えているので、排水トラップの排水量を上回る量の浴槽からの排水は、一旦、浴槽下床上の貯水空間に貯水できる。
【００１５】
そして、一旦、貯水空間に貯水された排水は、排水トラップからの排水能力に応じて徐々に排水される。
したがって、浴槽排水口からの排水速度を高めることができ、湯の張り替え作業を短縮することができる。
【００１６】
また、前記浴槽の平面投影面積が、前記浴槽下床の平面投影面積より小さく、かつ、前記浴槽が、水平方向にスライド可能に前記浴槽下床上に支持されているので、蓋などを取り付けない状態では、浴槽下床のうちの浴槽が配置されていない部分は、浴室内に露出した状態となる。
したがって、浴槽下床部分の浴槽が配置されていない部分を、水洗するなど清掃を容易にすることができる。そして、浴槽をスライドさせることができるので、浴槽に隠れて清掃しにくい浴槽下床部分も、浴槽をスライドさせて、浴室内に露出させて清掃を容易に行うことができる。
【００１７】
また、本発明の浴室ユニットは、浴室床が、洗い場床と、洗い場床から段落ち状に設けられた浴槽下床を有し、前記浴槽下床に浴槽が載置されるとともに、洗い場の排水及び前記浴槽の排水が流入する排水トラップを備える浴室ユニットにおいて、前記浴槽が、その貯水の全部または一部を浴槽下床上に直接排水する浴槽排水口を有し、前記排水トラップが、前記浴槽排水口から浴槽下床上に直接排水された排水の流入口を有し、前記浴槽下床の上に、前記浴槽排水口から浴槽下床上に直接排水された排水が洗い場床側に溢れ出ないように貯水可能な貯水空間を備えているとともに、前記排水トラップは、封水筒の周囲に形成された封水貯水部の側壁に排水経路に接続される排水管部を備え、この排水管部は、前記封水貯水部の側壁から離れるに伴い上昇する傾斜部を有し、前記排水経路は、前記排水管部の傾斜部下流側の接続端から下り勾配になるように設けられている。
すなわち、貯水空間を備えているので、排水トラップの排水量を上回る量の浴槽からの排水は、一旦、浴槽下床上の貯水空間に貯水できる。
【００１８】
そして、一旦、貯水空間に貯水された排水は、排水トラップからの排水能力に応じて徐々に排水される。
したがって、浴槽排水口からの排水速度を高めることができ、湯の張り替え作業を短縮することができる。
【００１９】
また、排水トラップが、封水筒の周囲に形成された封水貯水部の側壁に排水経路に接続される排水管部を備え、この排水管部が、前記封水貯水部の側壁から離れるに伴い上昇する傾斜部を有し、前記排水経路は、前記排水管部の傾斜部下流側の接続端から下り勾配になるように設けられている構成となっているので、傾斜部によって一旦排水経路が高くなり、その後床下での排水経路の高さ寸法を抑えることができる。
したがって、床下空間が狭くても設置することができる。
【図面の簡単な説明】
【００２０】
【図１】本発明の浴室ユニットの1つの実施の形態をあらわす浴室平面断面図である。
【図２】図１の浴室ユニットの縦断面図である。
【図３】図１の浴室ユニットの洗い場側から浴槽側をみた斜視図である。
【図４】図１の浴室ユニットの洗い場パンの底面図である。
【発明を実施するための形態】
【００２１】
以下に、本発明の実施の形態を図面に基づいて説明する。
図１〜図４は、本発明の浴室ユニットの第１の実施の形態を示している。
【００２２】
図１、あるいは、図２、図３に示すように、この浴室ユニットＡは、床１が、洗い場床２と、浴槽下床３を備えている。
洗い場床２は、図４に示すような洗い場床パン２ａを敷設することによって形成されていて、図１あるいは図２に示すように、浴槽下床３側端部中央に排水口２１を有するとともに、排水口２１の上方をカバーする蓋２ｂを備えている。
【００２３】
排水口２１には、図２に示すように排水トラップ６が設けられているとともに、洗い場床２に流れ落ちた湯や水、洗髪水だけでなく、後述する浴槽下床３に流れ込むようになっている。
排水トラップ６は、トラップ本体６１と、封水筒６２と、傾斜部６３を備えている。
【００２４】
傾斜部６３は、封水筒６２の側面から延出し、下流側で排水経路７に接続されている。
排水経路７は、洗い場パン２ａの端部に向って徐々に下降する下り勾配になっている。
【００２５】
傾斜部６３の傾斜角度は、特に限定されないが、水平面に対して３０〜４５°が好ましい。
傾斜部６３の水平方向の長さは、特に限定されないが、傾斜最下端から傾斜上端までの水平方向寸法が７５〜１５０ｍｍが好ましい。
【００２６】
洗い場パン２ａは、高さが高いリブ２３（以下、「高リブ」と記す）と、高さの低いリブ（以下、「低リブ」と記す）２３ａによって、底面側から補強されている。
そして、低リブ２３ａが設けられた部分２２に、傾斜部６３および排水経路７が配管されている。
【００２７】
浴槽下床３は、洗い場床２から段落ち状に形成されていて、後述する浴槽４の長手方向寸法より、その長手方向の寸法が長く形成されていて、浴槽４の長手方向に浴槽４をスライド自在に下方から支持している。
すなわち、浴槽下床３は、その平面投影面積が、浴槽４の平面投影面積より大きくなっている。
【００２８】
また、浴槽下床３は、浴槽４のスライド幅の１／２の幅の床蓋５を備えている。
すなわち、図１に示すように、床蓋５は、浴槽４が、浴槽下床３の長手方向中央に配置されている場合は、床蓋５を浴槽４の長手方向の両側に配置し、浴槽下床３が浴室内から見えないようにすることができる。そして、図示していないが、浴槽４を浴槽下床３のいずれか一側方向にスライドさせて、浴槽下床３の他方側に２枚の床蓋５を並べて配置することもできる。
【００２９】
浴槽４は、１つの浴槽排水口４１を備えていて、この浴槽排水口４１から浴槽４内の湯水を排水として直接浴槽下床３上に排水できるようになっている。
そして、浴槽下床３上に排水された排水Ｗは、排水口２１から排水トラップ６に流れ込んで排水経路７に排水されるとともに、排水トラップ６の排水速度を超える量が浴槽下床３上の貯水空間内に貯水される。
【００３０】
なお、貯水空間の容量Ｖは、浴槽４の満水量をＶ１、浴槽４の浴槽排水口４１から排水される単位時間当たりの排水量Ｖ２と、排水トラップ６の単位時間あたりの排水量をＶ３としたとき、Ｖ＞Ｖ１−Ｖ３×Ｖ１÷Ｖ２を満足していることが好ましく、Ｖ＝Ｖ１でも構わない。
【００３１】
また、浴槽４は、その底が、洗い場床２の上面との間で１０ｍｍ以内の高低差となるように設けられている。
【００３２】
上記浴室ユニットＡは、上記のように構成されているので、以下のような優れた効果を備えている。
（１）排水トラップ６の排水能力を超える排水が、浴槽下床３上の貯水空間に一旦貯水し、浴槽４の浴槽排水口４１からの排水が完了後、徐々に貯水空間に貯水された排水トラップ６を介して排水経路７に排水できる。
したがって、浴槽４の浴槽排水口４１からの排水速度を上げることができ、結果として、湯の張替え時間を短縮化して、多人数の人の入浴が可能となる。
（２）排水トラップ６の容量や排水経路７の口径を大きくしなくても、浴槽４の排水速度を上げることができるので、床下スペースの高さ寸法を抑えることができる。
すなわち、
（３）洗い場床２と浴槽４の底面の高低差が１０ｍｍ以内であるので、浴槽４を跨ぐ人がバランスを崩しにくく、高齢者にも安全な浴室になる。
（４）浴槽４の平面投影面積が、浴槽下床３の平面投影面積より小さく、浴槽４が浴槽下床３上をスライド移動可能となっているので、図３に示すように、清掃しようとする人Ｍが床蓋５を持ち上げ、取り除けば、浴槽下床３が浴室内に露出し、浴槽下床３上を清掃して、浴槽下床３上を清潔な状態に保つことができる。
また、浴槽４をスライドさせれば、浴槽４が設置されていた部分の清掃も容易に行うことができる。
（５）浴槽４の排水が直接浴槽下床３に受けられるようになっているので、浴槽排水口４１の位置を自由に選択できる。すなわち、浴槽４を跨ぎ込む場合に、浴槽排水口４１の栓（図示せず）を踏んで、バランスを崩さないように、洗い場床２とは反対側の洗い場床２の排水口２１から遠い位置に浴槽排水口４１を設けることができる。
（６）傾斜部６３を設けても、傾斜部６３が浴槽下床３の溢れ面である洗い場床２よりも下方にあるので、洗い場に水を溢れさせずに排水経路の勾配を長く取ることが可能となる。
（７）洗い場パン２ａの底面に設けられたリブ２３の内、傾斜部６３および排水経路７が設けられる部分のリブ２３ａが他のリブ２３部分より高さが低くなっており、この低くなった部分２２に傾斜部６３および排水経路７が入り込むようにしたので、床下の高さをより低くすることができ、浴室の天井高さを十分に確保することができる。
また、傾斜部６３および排水経路７が設けられる部分以外は、洗い場床２が高さの高い高リブ２３によって底面側から補強されているので、洗い場床２は十分な荷重強度を確保できる。
なお、図２に示す床下寸法ｈは、１０ｃｍ程度まで近づけることが好ましい。
【００３３】
本発明の浴室ユニットは、上記の実施の形態に限定されない。例えば、上記の実施の形態では、浴槽排水口は、１つであったが、浴槽排水口を２つ以上設けても構わない。
また、複数の浴槽排水口のうち、１つの浴槽排水口にホースを連結し、このホースを介して浴槽排水の一部を排水トラップに直接流入するようにしても構わない。
【００３４】
上記の実施の形態では、床蓋が２枚設けられていたが、浴槽以外の浴槽下床部分をおおうことができれば、１枚でも構わないし、３枚以上でも構わない。
上記の実施の形態では、浴槽が洗い場床の端縁に沿って移動可能になっていたが、前後左右に移動可能にしても構わない。
【符号の説明】
【００３５】
Ａ  浴室ユニット
１  床
２  洗い場床
３  浴槽下床
２ａ  洗い場床パン
２１  排水口
２２  部分（低リブ部分）
２３  高リブ
２３ａ  低リブ
２ｂ  蓋
４  浴槽
４１  浴槽排水口
５  床蓋
６  排水トラップ
６１  トラップ本体
６２  封水筒
６３  傾斜部
７  排水経路
Ｍ  人
【図１】
2017057674.tif 000003
【図２】
2017057674.tif 000004
【図３】
2017057674.tif 000005
【図４】
2017057674.tif 000006